(57)【要約】【課題】  ダブルドラム乾燥機は、乾燥する泥状物の中に硬い異物が混ざっていた場合、ドラム表面の変形は、挟まれた局所にとどまらず、周囲も押し広げて変形範囲が広くなり、変形部分の復元工事は極めて手間がかかる欠点がある。【解決手段】  加熱した２個のドラムを水平、かつ向かい合わせに配置し、該２個のドラムを下方向に同一速度で回転させながら該２個のドラムの隙間に泥状の被乾燥物を注入して該ドラム面に泥状物を圧着させて該ドラム面を回転させて泥状物を乾燥し、乾燥した泥状物を掻きとり剥落させる構造を備えてなる乾燥機において、該２個のドラムの表面に、ドラム軸方向に櫛の歯状の凹凸を形成し、該ドラムの一方の櫛の山と他方の櫛の谷が相互に対向し、櫛の歯が互いにかみ合う位置に配置してなることを特徴とする。【選択図】  図１
2005076987.tif 000002
【特許請求の範囲】
【請求項１】
加熱した２個のドラムを水平、かつ向かい合わせに配置し、該２個のドラムを下方向に同一速度で回転させながら該２個のドラムの隙間に泥状の被乾燥物を注入して該ドラム面に泥状物を圧着させて該ドラム面を回転させて該泥状物を乾燥し、該乾燥した泥状物を掻きとり剥落させる構造を備えてなる乾燥機において、該２個のドラムの表面に、ドラム軸方向に櫛の歯状の凹凸を形成し、該ドラムの一方の櫛の山と他方の櫛の谷が相互に対向し、櫛の歯が互いにかみ合う位置に配置してなることを特徴とする乾燥機。
【請求項２】
上記２個のドラムの内部に過熱蒸気を注入して該ドラムを加熱してなる請求項１に記載の乾燥機。
【発明の詳細な説明】
【技術分野】
【０００１】
本発明は、乾燥機に係わり、更に詳しくは、工業排水、下水汚泥等の多くの水分を含んだ泥状の物質の乾燥機に係るものである。
【背景技術】
【０００２】
泥状物の乾燥機として従来よりドラム型乾燥機が使用されている。ドラム型乾燥機には、ダブルドラム、シングルドラム、ツインドラム方式の乾燥機が知られている。シングルドラムは特許文献１に開示されている。ダブルドラム型は、特許文献２に開示されている。
特許文献１，２のドラム型乾燥機は構造が簡単で泥状物を効率よく乾燥できる点は優れているが、泥状物の中に硬い異物が混ざっていた場合、ドラムに挟まれたときにドラム表面が変形することになるが、この変形は挟まれた局所にとどまらず、周囲も押し広げて変形範囲を拡大させる欠点がある。変形したドラムは一旦取り外して復元させることが必要となり極めて手間のかかる欠点がある。
【０００３】
【特許文献１】特公平７-31005号公報
【特許文献２】実公昭57-45829号公報
【発明の開示】
【発明が解決しようとする課題】
【０００４】
本発明はかかる問題点に鑑みてなされたもので、泥状物に硬い異物が混ざってドラムにかみこんでもドラムの変形をその部分だけの局部に限定して、ドラムを取り外すことなくその場で、局所の手直しだけで修復できる新しい構造のドラム型乾燥機を提供せんとするものである。
【課題を解決するための手段】
【０００５】
本発明者は、上記問題に関して鋭意研究を行い、下記(1)〜(2)の手段で問題を解決できることを見出した。
すなわち、
加熱した２個のドラムを水平、かつ向かい合わせに配置し、該２個のドラムを下方向に同一速度で回転させながら該２個のドラムの隙間に泥状の被乾燥物を注入して該ドラム面に泥状物を圧着させて該ドラム面を回転させて該泥状物を乾燥し、該乾燥した泥状物を掻きとり剥落させる構造を備えてなる乾燥機において、該２個のドラムの表面に、ドラム軸方向に櫛の歯状の凹凸を形成し、該ドラムの一方の櫛の山と他方の櫛の谷が相互に対向し、櫛の歯が互いにかみ合う位置に配置してなることを特徴とする乾燥機。
上記２個のドラムの内部に過熱蒸気を注入して該ドラムを加熱してなる上記(1)に記載の乾燥機。
【発明の効果】
【０００６】
本発明は下記の効果を有する。
硬い異物をかみこんでもドラムを取り外すことなく現地で局部的な手直しだけでドラムを修復できる。
表面がフラット形状のドラムに比べて櫛歯状の凹凸があるために表面積が大きく、乾燥処理量が大きい。
【発明を実施するための最良の形態】
【０００７】
図面によって本発明を説明する。
図１は、本発明装置の説明図で、図２は図１の上面図である。
本発明装置は、基本的には、加熱した２個のドラム１と、泥状物の供給装置、乾燥した泥状物を剥き取り、剥落させるスクレーパ３と、剥き取られた乾燥物を搬出するコンベア４からなっている。
図示していない原料供給装置から供給された原料は２個のロールの隙間に落下する。
２個のドラムは水平、かつ向かい合わせに置かれ、隙間は原料の水分量、粘度等に応じて適切な値に調整されて固定されている。ドラムの表面は櫛の歯形状で、２個のロールは櫛の歯が互いに噛み合う位置関係に置かれている。
【０００８】
２個のドラムは共に下方向に同一速度で回転しているので、２個のドラムの隙間に泥状
の被乾燥物が注入されると、泥状物はドラムの隙間に引き込まれて、ドラムの表面に強く押し付けられる。
ドラムの隙間から出てきたところでは、泥状物は一部脱水されてドラム表面に圧着され
て出てくる。
ドラム内面は過熱蒸気あるいは必要に応じてその他の加熱手段で加熱されているため
に、ドラム面に圧着した泥状物はドラムの回転に伴って乾燥され、スクレーパ３の位置に到達する前に乾燥、固化する。スクレーパはロール表面と同じ櫛の歯形状で、ロール表面にかみこむように置かれており、ロール表面の付着した乾燥物を掻きとって落とす。
剥き取られた乾燥物は落下してコンベヤー４の上に落ちて、外に搬出されることとなる。
乾燥によって発生した水蒸気等の蒸発、揮発物質は装置の上部に置かれたフード５から吸引されて外に排出される。
【０００９】
ドラムの隙間に硬い異物が挟まった時、ドラムの変形は櫛の歯の山の部分が優先的に変形あるいは欠損するために、谷の部分は変形しにくい構造になっている。つまり山の部分が構造的には最も弱いために、山の部分がまず先に変形あるいは欠損して谷の部分にかかる応力を緩和して谷の変形を防ぐ構造である。また山の部分が先に変形することによって、変形が周囲に波及するのを防ぐ。
【００１０】
山の部分の修復は、曲がった山を元通りに直す、あるいは欠損した部分を溶接肉盛して元の形状に修復できるので、ドラムを取りはずすことなく現地で容易に修理できる。
【００１１】
櫛の歯状の面はフラット面に比べて表面積が数倍大きく、かつ櫛の歯の高さを変えることによって表面積を変えることも出来るので、時間あたりの乾燥処理量を従来装置に比べて大幅に改善できる。  
【００１２】
ドラムの加熱温度と回転数は、乾燥するものと量及びドラム大きさにもよるが、おおむ
ね150〜400℃程度、0.1〜数回転／分程度の回転数が大体の目安である。
【００１３】
本発明装置は、水分を含む全ての泥状物の乾燥に適用できる。たとえば下水汚泥、高濃
度の工場廃液、おから等の食品残渣、ビールや焼酎の粕等々である。
【００１４】
本発明装置の剥落した乾燥物を搬出するコンベアは、図に記載したスクリュー式のコンベアのみに限定されるものではなくいかなる構造のものでも使用できる。
【実施例１】
【００１５】
ドラムの構造（図１，２の構造）
外径1000mm、長さ1000mm、肉厚20mmの軟鋼鋼管表面全面に、高さ10mm、幅10mmの櫛の歯を形成した。
二個のドラムの隙間は5mmに設定した。
スクレーパは焼き入れした鋼を使用し、かみこみ部（ドラムの接点）から225度の位置に取り付けた。
ドラムには300℃の過熱蒸気を供給してドラム表面を加熱した。
被乾燥物
フィルタープレスで脱水したケーキ状の下水汚泥をロールの隙間から供給して汚泥の乾燥状況、及び処理量を調べた。ロールの回転数は0.1rpmとし、延べ24時間続けた。
又櫛の歯の特定の個所の汚泥に、直径5~10mmの砂利を混ぜて櫛の歯の変形、磨耗、欠損状況を調べた。
結果
スクレーパの位置では汚泥は脱水乾燥されていた。処理量は櫛の歯のないフラットな表面のドラムを使用した場合の約２倍乾燥処理できた。
ドラムの変形
２個のロール共、変形は認められなかった。
櫛の歯の欠損、磨耗状況
砂利を混ぜた部分の櫛の谷の部分には磨耗、欠損はほとんど認められなかったが、山の部分には変形と軽微な磨耗が観察された。
変形部分は溶接肉盛で容易に手直しできた。
以上、本発明装置は乾燥処理量を大幅に改善でき、かつ硬い異物をかみこんでも局部的な手直しで修復できることを確認できた。
【産業上の利用可能性】
【００１６】
工業排水、下水汚泥等の多くの水分を含んだ廃棄物の乾燥に効果的である。
おから、味噌等の粘着性で通気性の悪い材料の乾燥に効果的である。
乾燥物が完全に剥き取られるので乾燥歩留まりが極めて優れている。
【図面の簡単な説明】
【００１７】
【図１】図１は、本発明装置の説明図である。
【図２】図２は、図１の上面図である。
【符号の説明】
【００１８】
１  ドラム      
２  回転軸
３  スクレーパ
４  コンベア
５  フード
【図１】
2005076987.tif 000003
【図２】
2005076987.tif 000004